(57)【要約】      （修正有）【課題】日々の動作や精神的ストレスによる頭蓋骨の歪みを矯正し、顔の浮腫みや肌荒れなどに大きな影響を及ぼすとされる脳脊髄液の循環を活発化できる健康マットを提供する。【解決手段】仰臥する使用者の背中に宛がわれる柔軟なマット本体１１と、マット本体１１に接続部材１３，１３により繋がれて使用者の後頭部を支える左右一対の弾性球体１２，１２と、を有する健康マットである。接続部材１３は、４〜８ｃｍの長さを有する非伸縮性の帯状物あるいは線状物である。又、左右一対の弾性球体１２，１２は、可撓性の球体カバー１４内に収容され、互いに離間方向への移動を制限されている。【選択図】図１
0003159081.tif 000002
【実用新案登録請求の範囲】
【請求項１】
仰臥する使用者の背中に宛がわれる柔軟なマット本体と、
前記マット本体に接続部材により繋がれて前記使用者の後頭部を支える左右一対の弾性球体と、
を有することを特徴とする健康マット。
【請求項２】
前記接続部材は、４〜８ｃｍの長さを有する非伸縮性の帯状物あるいは線状物であることを特徴とする請求項１記載の健康マット。
【請求項３】
前記左右一対の弾性球体を収容してその両弾性球体の離間方向への移動を制限する可撓性の球体カバーを有することを特徴とする請求項１、又は２記載の健康マット。
【請求項４】
前記左右一対の弾性球体は、直径５〜７ｃｍで、８．１６５ｋｇの荷重をかけたときの変形量が０．４〜１．１ｃｍの硬度を有するものであることを特徴とする請求項１〜３のいずれか１項に記載の健康マット。
【請求項５】
前記左右一対の弾性球体は、硬式テニス用ボールであることを特徴とする請求項１〜３のいずれか１項に記載の健康マット。
【考案の詳細な説明】
【技術分野】
【０００１】
本考案は健康マットに係わり、詳しくは頭蓋骨の歪みを矯正して脳脊髄液の循環を促せるようにした健康マットに関する。
【背景技術】
【０００２】
人間の頭蓋骨は２３個の骨が組み合わさって構成されており、それら骨同士の接続部分は縫合と称されている。縫合は、呼吸に合わせて僅かに開閉し、頭蓋骨と骨盤との間で脳脊髄液を循環させている。
【０００３】
脳脊髄液は、脳内で血液を濾過して作られるものであり、体内に僅か２５０ｃｃ程度しかない。そして、係る脳脊髄液は、中枢神経を通って脳から出された指令や栄養を身体の隅々まで伝え、全１２種類の神経を働かせている。表情を左右する顔面神経や三叉神経を働かせるのも脳脊髄液の役割である。又、脳脊髄液は、顔の近くを通る体液であるため、その流れの良し悪しが顔色、顔面の浮腫み、肌の木目などに大きく影響を及ぼすことになる。
【０００４】
尚、脳脊髄液は、一日に通常４回体内を循環すると言われているが、日々の動作（例えば、食事の際における左右いずれかに偏った噛み癖、あるいは左右の歩幅の違いといった生活習慣）やイライラ・不安などによる精神的なストレスにより頭蓋骨が歪んでしまうと、縫合に隙間が生じたり、逆に縫合が詰まったりして脳脊髄液の循環が阻害され、その結果として顔全体の筋肉が捩れ、顔面が歪んだり、皺や弛み、浮腫みが生じたりすることになる。
【０００５】
ここに、顔の引き締め効果を得られるとする用具として、使用者の額周りに装着可能なベルトに突起部を設け、その突起部により額に点在するツボを刺激できるようにした整体矯正バンテージなるものが提案されている（例えば、特許文献１）。
【０００６】
又、使用者の背中を支持する支持面を有する背中支持部と、使用者の頚椎と頭蓋骨との連結部付近に当接する当接部及び頭蓋骨を載置する載置部を含む回転部と、を備えた胸椎・頚椎牽引矯正器具なるものが知られる（例えば、特許文献２）。
【先行技術文献】
【特許文献】
【０００７】
【特許文献１】登録実用新案第３０９１４７０号公報（段落００３７〜００３９、図１３、図１４）
【特許文献２】登録実用新案第３１２９８０９号公報（請求の範囲、図１〜図５）
【考案の概要】
【考案が解決しようとする課題】
【０００８】
しかしながら、特許文献１に開示される整体矯正バンテージは、額に点在するツボを刺激するものであって頭蓋骨の歪みを矯正するものでなく、このため頭蓋骨の歪みに起因する脳脊髄液の循環障害を解消できない。
【０００９】
一方、特許文献２の胸椎・頚椎牽引矯正器具は、文字通り胸椎と頚椎を牽引してその歪みを矯正するものであるから、当該器具でも頭蓋骨の歪みに起因する脳脊髄液の循環障害を解消する効果は期待できない。
【００１０】
本考案は以上のような事情に鑑みて成されたものであり、その目的は日々の動作や精神的ストレスによる頭蓋骨の歪みを矯正し、顔の浮腫みや肌荒れなどに大きな影響を及ぼすとされる脳脊髄液の循環を活発化できるようにすることにある。
【課題を解決するための手段】
【００１１】
本考案は上記目的を達成するため、仰臥する使用者の背中に宛がわれる柔軟なマット本体と、前記マット本体に接続部材により繋がれて前記使用者の後頭部を支える左右一対の弾性球体と、を有することを特徴とする健康マットを提供するものである。
【００１２】
特に、前記接続部材は、４〜８ｃｍの長さを有する非伸縮性の帯状物あるいは線状物であることが好ましい。
【００１３】
又、上記健康マットにおいて、前記左右一対の弾性球体を収容してその両弾性球体の離間方向への移動を制限する可撓性の球体カバーを有することが好ましい。
【００１４】
更に、前記左右一対の弾性球体は、直径５〜７ｃｍで、８．１６５ｋｇの荷重をかけたときの変形量が０．４〜１．１ｃｍの硬度を有するものであることが好ましい。尚、その種の弾性球体として、硬式テニス用ボールを利用することができる。
【考案の効果】
【００１５】
本考案に係る健康マットは、仰臥する使用者の背中に宛がわれる柔軟なマット本体に、使用者の後頭部を支える左右一対の弾性球体が接続部材によって繋がれた構成とされていることから、それら弾性球体により使用者の後頭部を適圧で押圧して頭蓋骨の歪みを矯正し、脳脊髄液の循環を活発化して表情を左右する顔面神経や三叉神経といった神経系統を正常に機能させ得る。
【００１６】
特に、その使用に際して他人の助けを借りず、使用者自らがマット本体上に仰臥するだけでよいから使用法が簡単で、かつ大きな費用をかけずに健康を維持することができる。
【００１７】
加えて、接続部材が４〜８ｃｍの長さを有する非伸縮性の帯状物あるいは線状物とされている態様では、使用に際してマット本体と弾性球体を一定の距離に保ち、弾性球体が使用者の頭部からの荷重を受けてマット本体から離間する方向に移動してしまうことを防止できる。
【００１８】
又、左右一対の弾性球体を収容してその両弾性球体の離間方向への移動を制限する可撓性の球体カバーを備えているものでは、弾性球体同士を一定の間隔に保つことができる。このため、接続部材との相互作用により、使用時における弾性球体と使用者頭部の相対位置のずれを防止できる。
【００１９】
更に、弾性球体が直径５〜７ｃｍで、８．１６５ｋｇの荷重をかけたときの変形量が０．４〜１．１ｃｍの硬度を有するものであれば、頭蓋骨を構成する左右後頭骨を適圧で好適に押圧支持することができる。特に、その種の弾性球体として硬式テニス用ボールを用いることにより容易に実用化できる。
【図面の簡単な説明】
【００２０】
【図１】本考案に係る健康マットを示す斜視概略図
【図２】図１に示した健康マットの平面概略図
【図３】図１に示した健康マットの部分拡大図
【図４】本考案に係る健康マットの使用態様を示す説明図
【図５】弾性球体で支持された使用者頭部を頭頂部側からみた状態を示す説明図
【考案を実施するための形態】
【００２１】
以下、図面に基づいて本考案に係る健康マットの実施形態を詳しく説明する。先ず、図１及び図２により本考案を概説すれば、係る健康マット１は、仰臥する使用者の背中に宛がわれる柔軟なマット本体１１と、当該マット本体１１に繋がる左右一対の弾性球体１２，１２とを有して構成される。
【００２２】
このうち、マット本体１１は、例えば袋状の外カバー１１ａ内にクッション体１１ｂを収容したもので、そのクッション体１１ｂは布地などから縫製される袋内に化学繊維、ポリウレタン、木材チップ、あるいは合成樹脂の粒体などを詰め込んで構成されている。
【００２３】
一方、弾性球体１２は、文字通り弾力性を有する球体で、好ましくは８．１６５ｋｇの荷重をかけたときの変形量が０．４〜１．１ｃｍ（より好ましくは０．５〜０．８ｃｍ）となる硬度を有するものであり、その直径は５〜７ｃｍ（より好ましくは６〜７ｃｍ）である。
【００２４】
その種の弾性球体１２は、合成ゴムや天然ゴムから容易に成形することができるが、本例では、係る弾性球体１２として市販の硬式テニス用ボールを用いている。尚、国際テニス連盟（ＩＴＦ）で公認される硬式テニス用ボールの条件は、重量５６．０〜５９．４ｇ、直径６．５４１〜６．８５８ｃｍで、かつ気温２０℃、湿度６０％、１気圧下のもとで２５４ｃｍの高さからコンクリート床に落下させたときの跳ね上がり高さが１３４．６２〜１４７．３２ｃｍ、８．１６５ｋｇの荷重をかけたときの変形量が０．５５９〜０．７３７ｃｍであり、本考案の弾性球体１２として好適に用いることができる。
【００２５】
つまり、係る弾性球体１２は、仰臥する使用者の後頭部を支え、頭蓋骨を構成する後頭骨を押圧して頭蓋骨の歪みを矯正するものであるところ、直径７ｃｍ程度の硬式テニス用ボールでは、使用者の後頭部を好適に支持することができ、しかも上記のような硬度であれば、平均的重量が８ｋｇ程度とされる人間の頭部からの荷重を受けて弾性変形しながら後頭骨を適度の圧力で押圧することができる。
【００２６】
ここに、弾性球体１２の直径が上記の範囲以下では仰臥する使用者の後頭部を好適に支えるに足る高さを得られず、その直径が上記の範囲以上では仰臥する使用者の頭部が前傾状態になって後頭骨に作用する押圧力が低下してしまう。
【００２７】
又、弾性球体１２が弾性変形しない高硬度のものであれば、後頭部との点接触により押圧力が局部的に過大となり使用者が傷みに耐えられず、軟らか過ぎれば頭蓋骨の歪みを矯正するに足る押圧力を得られない。
【００２８】
尚、図１及び図２において、１３はマット本体１１と弾性球体１２とを繋ぐ接続部材であり、本例ではこれに帯状の合成樹脂紐が用いられている。係る接続部材１３，１３は、合成樹脂に限らず皮革や布地などでもよく、その形態が線状であってもよいが、その長さが４〜８ｃｍで、非伸縮性であることが好ましい。
【００２９】
そして、係る接続部材１３，１３は、マット本体１１に弾性球体１２，１２を繋ぎ止めて弾性球体１２，１２がマット本体１１から離間する方向に転動するのを防止し、マット本体１１上に仰臥する使用者の後頭部の下方に弾性球体１２，１２を位置決めする働きをする。
【００３０】
１４は左右一対の弾性球体１２，１２を収容した可撓性を有する袋状の球体カバーであり、係る球体カバー１４は、使用者の頭部が弾性球体１２，１２上に載せられたとき、その両弾性球体１２，１２が頭部からの荷重を受けて離間方向（左右方向）に移動するのを制限する働きをする。従って、係る球体カバー１４によれば、左右一対の弾性球体１２，１２を所定の間隔に保つことができ、これにより使用者の左右後頭骨の適宜位置を弾性球体１２，１２によって押圧することが可能とされる。
【００３１】
又、図３から明らかなように、弾性球体１２，１２は網袋などからなる包皮１５，１５内に個々に収容されていると共に、その包皮１５，１５を介して接続部材１３，１３の各一端に接続されている。尚、本考案は弾性球体１２，１２を包皮１５，１５に収容することを要件とするものでなく、その包皮１５，１５を省略して弾性球体１２，１２を金具や接着剤などにより接続部材１３，１３の各一端に固定するようにしてもよい。又、本例において、接続部材１３，１３の他の各一端はマット本体１１を構成するクッション体１１ｂの端縁に逢着されているが、マット本体１１と接続部材１３，１３の結合にも金具や接着剤を用いて差し支えない。
【００３２】
次に、本考案に係る健康マット１の使用方法とその作用について説明する。図４のように、係る健康マット１は、使用に際して畳やフローリング床などの平坦面Ｆ上に置き、接続部材１３を弛み無く張った状態にして弾性球体１２を接続部材１３の長さ分だけマット本体１１から隔たる位置に配置する。
【００３３】
そして、使用者は、自らの後頭部が弾性球体１２の上に位置するようにしてマット本体１１上に仰臥しながら、後頭部を弾性球体１２の上に載せる。これにより、使用者の背中はマット本体１１により支持され、そのマット本体１１は使用者の体重を受けて平坦面Ｆと使用者との間で固定されることになる。
【００３４】
一方、弾性球体１２は、平坦面Ｆ上に固定されたマット本体１１に接続部材１３で繋がれているので、マット本体１１から離間する方向（図４の右方）に移動することはなく、しかもその両弾性球体１２，１２は単一の球体カバー１４内に収容されているので互いに離間方向（図５の左右方向）へ移動せずして図４、図５のように使用者の後頭部を好適に支持するようになる。
【００３５】
特に、弾性球体１２，１２は、使用者の頭部からの荷重を受けて弾性変形して使用者の後頭部に密着しながら、使用者による押圧力の反力として使用者の後頭部（左右後頭骨）を適圧で押圧するようになる。
【００３６】
これにより、使用者の頭蓋骨の歪みが矯正され、後頭骨の縫合に生じていた隙間や詰まりが解消されて縫合の開閉運動が正常に行われるようになる。この結果、脳脊髄液の循環が活発化し、表情を左右する顔面神経や三叉神経といった神経系統が正常に機能するようになるため、顔の浮腫みや弛みが解消されるほか、身体の各部に生じて歪みも改善されることとなる。尚、係る健康マット１は、１５分程度の使用で十分な効果が得られる。
【００３７】
以上、本考案について説明したが、係る健康マット１は上記のような構成に限らない。例えば、接続部材１３は使用者の体格などに応じて長さ調整できる構成としてもよい。
【００３８】
又、マット本体１１に、図示せぬタイマーを接続するなどして装備するようにしてもよく、これによれば時計のない場所でも使用時間を計ることができる。
【符号の説明】
【００３９】
１  健康マット
１１  マット本体
１１ａ  外カバー
１１ｂ  クッション体
１２  弾性球体
１３  接続部材
１４  球体カバー
【図１】
0003159081.tif 000003
【図２】
0003159081.tif 000004
【図３】
0003159081.tif 000005
【図４】
0003159081.tif 000006
【図５】
0003159081.tif 000007